(57)【要約】【課題】腐敗、腐敗による悪臭や、カビ、虫食い等が発生するまでの期間をできるだけ遅らせて、生ゴミ、鮮度を保つ食品、衣服等の保存できる期間をできるだけ延長することができるようにする等、家屋内に設けられた複数の物品や部分の内部状態を種々の目的でコントロールすることができるようにした複合コントロール建築物を提供する。【解決手段】家屋１０内の適切な位置に設けられ、連結された物品内部に窒素を供給可能な窒素供給源１２と、家屋１０内の適切な位置に設けられ、連結された物品内部に空気を供給可能な空気供給源１３と、家屋１０内の他の適切な位置に設けられ、内部に目的物を収納し、内部が窒素供給源１２及び空気供給源１３のそれぞれと連結された複数の収納用物品１４，１６，１８と、窒素供給源１２及び空気供給源１３のそれぞれを用いて複数の収納用物品１４，１６，１８それぞれの内部状態を制御する制御手段３０とを備えた。【選択図】図１
2008082014.tif 000002
【特許請求の範囲】
【請求項１】
家屋内の適切な位置に設けられ、連結された物品内部に窒素を供給可能な窒素供給源と、
家屋内の適切な位置に設けられ、連結された物品内部に空気を供給可能な空気供給源と、
家屋内の他の適切な位置に設けられ、内部に目的物を収納し、内部が前記窒素供給源及び前記空気供給源のそれぞれと連結された複数の収納用物品と、
前記窒素供給源及び前記空気供給源のそれぞれを用いて前記複数の収納用物品それぞれの内部状態を制御する制御手段と
を備えたことを特徴とする複合コントロール建築物。
【請求項２】
前記複数の収納用物品の内の１つが、生ゴミを収納するゴミ箱であることを特徴とする請求項１に記載の複合コントロール建築物。
【請求項３】
前記複数の収納用物品の内の１つが、鮮度を保つ食品を収納する食品貯蔵庫であることを特徴とする請求項１に記載の複合コントロール建築物。
【請求項４】
前記複数の収納用物品の内の１つが、衣服や服飾品等を収納するクローゼットであることを特徴とする請求項１に記載の複合コントロール建築物。
【請求項５】
前記複数の収納用物品それぞれの内部と前記窒素供給源及び前記空気供給源のそれぞれとの間の連結状態を切換える複数の切換バルブを設け、
前記制御手段が前記切換バルブを制御するようにしたことを特徴とする請求項１に記載の複合コントロール建築物。
【請求項６】
前記複数の収納用物品それぞれの内部を外部と連通させることができる複数のリリースバルブを設け、
前記制御手段が前記リリースバルブを制御するようにしたことを特徴とする請求項１に記載の複合コントロール建築物。
【請求項７】
前記複数の収納用物品それぞれの内部の空気を窒素に置き換えるか、又は前記複数の収納用物品それぞれの内部の窒素を空気に置き換えるかの指令を出力する複数の指令手段を設け、
前記制御手段は、前記指令手段からの指令を入力して制御動作するようにしたことを特徴とする請求項１に記載の複合コントロール建築物。
【請求項８】
前記複数の収納用物品それぞれの内部状態を表示する複数の内部状態表示手段を設けたことを特徴とする請求項１に記載の複合コントロール建築物。
【発明の詳細な説明】
【技術分野】
【０００１】
本発明は、家屋内の適切な位置にそれぞれ設けられて、内部に目的物を収納した複数の物品の内部状態を、種々の目的でコントロール（制御）することができるようにした複合コントロール建築物に関するものである。
【背景技術】
【０００２】
従来の建築物においては、例えば生ゴミはゴミ箱に入れられて、ゴミ収集車が来るゴミ収集日まで建築物内に保存されるようになっている。
また、新鮮な肉や野菜、果物等の食品は、それらが腐敗しないように冷蔵庫等の食品貯蔵庫（パントリー）内に収納して保存されるようになっている。
また、スーツやドレス等の衣服や服飾品等は、それらが虫に食われたり、カビが生えたりしないようにクローゼットの中に収納して保存されるようになっている。
【発明の開示】
【発明が解決しようとする課題】
【０００３】
しかしながら、生ゴミをゴミ箱に入れて、ゴミ収集車が来る日まで建築物内に保存しておく場合、例えば週に２日の生ゴミ収集日に、その生ゴミをゴミ集積所に出しに行くのを忘れたり、或は、ゴミ収集車がいつもの生ゴミ収集日に来られないことが予め決まっていることを知らなかった場合等においては、生ゴミの保存期間がいつもよりも長くなってしまう。このため、生ゴミが腐敗して悪臭を発生させるようになり、ゴミ箱を開ける度に建築物内にその悪臭が漏れ出して、生活環境が著しく悪化してしまうという問題があった。
【０００４】
また、冷蔵庫に新鮮な肉や野菜、果物等の食品を収納しておく場合、いくら冷蔵だからといってもきりも無くいつまでも貯蔵できるわけではなく、あまり貯蔵期間が長引くとやはり食品が腐敗したり、カビが生えたり、或は熟し過ぎたりして、食べることができなくなってしまうという問題があった。
【０００５】
また、クローゼットの中にスーツやドレス等の衣服や服飾品等を収納しておく場合、夏物や冬物を次の夏や冬の季節が来るまでの期間（８ヶ月乃至１０ヶ月位）、或はものによってはもっと長い期間クローゼットの中に収納しておくことになる。このため、たとえクローゼットの中に防虫剤等を入れたとしても、あまり長い期間収納しておくとスーツやドレス等が虫に食われたり、カビが生えたりすることを防止することができず、それらが着られなくなってしまうという問題があった。
【０００６】
そこで本発明は、上記問題点に鑑みて、例えば、腐敗や、腐敗による悪臭、カビ、虫食い等が発生するまでの期間をできるだけ遅らせて、生ゴミ、鮮度を保つ食品、衣服等の保存できる期間をできるだけ延長することができるようにする等、家屋内に設けられた複数の物品の内部状態を種々の目的でコントロールすることができるようにした複合コントロール建築物を提供することを課題とするものである。
【課題を解決するための手段】
【０００７】
上記課題を解決するために、本発明の複合コントロール建築物は、
家屋内の適切な位置に設けられ、連結された物品内部に窒素を供給可能な窒素供給源と、
家屋内の適切な位置に設けられ、連結された物品内部に空気を供給可能な空気供給源と、
家屋内の他の適切な位置に設けられ、内部に目的物を収納し、内部が前記窒素供給源及び前記空気供給源のそれぞれと連結された複数の収納用物品と、
前記窒素供給源及び前記空気供給源のそれぞれを用いて前記複数の収納用物品それぞれの内部状態を制御する制御手段とを備えたことを特徴とするものである。
【０００８】
また、本発明の複合コントロール建築物は、前記複数の収納用物品の内の１つが、生ゴミを収納するゴミ箱であることを特徴とするものである。
【０００９】
また、本発明の複合コントロール建築物は、前記複数の収納用物品の内の１つが、鮮度を保つ食品を収納する食品貯蔵庫であることを特徴とするものである。
【００１０】
また、本発明の複合コントロール建築物は、前記複数の収納用物品の内の１つが、衣服や服飾品等を収納するクローゼットであることを特徴とするものである。
【００１１】
また、本発明の複合コントロール建築物は、
前記複数の収納用物品それぞれの内部と前記窒素供給源及び前記空気供給源のそれぞれとの間の連結状態を切換える複数の切換バルブを設け、
前記制御手段が前記切換バルブを制御するようにしたことを特徴とするものである。
【００１２】
また、本発明の複合コントロール建築物は、
前記複数の収納用物品それぞれの内部を外部と連通させることができる複数のリリースバルブを設け、
前記制御手段が前記リリースバルブを制御するようにしたことを特徴とするものである。
【００１３】
また、本発明の複合コントロール建築物は、
前記複数の収納用物品それぞれの内部の空気を窒素に置き換えるか、又は前記複数の収納用物品それぞれの内部の窒素を空気に置き換えるかの指令を出力する複数の指令手段を設け、
前記制御手段は、前記指令手段からの指令を入力して制御動作するようにしたことを特徴とするものである。
【００１４】
また、本発明の複合コントロール建築物は、
前記複数の収納用物品それぞれの内部状態を表示する複数の内部状態表示手段を設けたことを特徴とするものである。
【発明の効果】
【００１５】
このような本発明の複合コントロール建築物によれば、
家屋内の適切な位置に設けられ、連結された物品内部に窒素を供給可能な窒素供給源と、
家屋内の適切な位置に設けられ、連結された物品内部に空気を供給可能な空気供給源と、
家屋内の他の適切な位置に設けられ、内部に目的物を収納し、内部が前記窒素供給源及び前記空気供給源のそれぞれと連結された複数の収納用物品と、
前記窒素供給源及び前記空気供給源のそれぞれを用いて前記複数の収納用物品それぞれの内部状態を制御する制御手段とを備えたことにより、
家屋内に設けられた複数の収納用物品の内部状態を種々の目的でコントロールすることができる。
【００１６】
また、本発明の複合コントロール建築物によれば、前記複数の収納用物品の内の１つが生ゴミを収納するゴミ箱である場合には、このゴミ箱の内部の空気を窒素に置き換えることにより、酸素量も低減させることができるので、腐敗や腐敗による悪臭等が発生するまでの期間をできるだけ遅らせて、生ゴミの保存できる期間をできるだけ延長することができる。
【００１７】
また、本発明の複合コントロール建築物によれば、前記複数の収納用物品の内の１つが鮮度を保つ食品を収納する食品貯蔵庫である場合には、この食品貯蔵庫の内部の空気を窒素に置き換えることにより、酸素量も低減させることができるので、腐敗や、腐敗による悪臭、カビ等が発生するまでの期間をできるだけ遅らせて、鮮度を保つ食品の保存できる期間をできるだけ延長することができる。
【００１８】
また、本発明の複合コントロール建築物によれば、前記複数の収納用物品の内の１つが衣服や服飾品等を収納するクローゼットである場合には、このクローゼットの内部の空気を窒素に置き換えることにより、酸素量も低減させることができるので、カビや虫食い等が発生するまでの期間をできるだけ遅らせて、衣服等の保存できる期間をできるだけ延長することができる。
【００１９】
また、本発明の複合コントロール建築物によれば、
前記複数の収納用物品それぞれの内部と前記窒素供給源及び前記空気供給源のそれぞれとの間の連結状態を切換える複数の切換バルブを設け、
前記制御手段が前記切換バルブを制御するようにしたことにより、
前記複数の収納用物品それぞれの内部の空気を窒素に置き換える場合と、前記収納用物品それぞれの内部の窒素を空気に置き換える場合との間で、前記収納用物品それぞれの内部状態を切換えることができる。
【００２０】
また、本発明の複合コントロール建築物によれば、
前記複数の収納用物品それぞれの内部を外部と連通させることができる複数のリリースバルブを設け、
前記制御手段が前記リリースバルブを制御するようにしたことにより、
前記複数の収納用物品それぞれの内部の空気を外部に排出させて前記収納用物品それぞれの内部に窒素を供給可能にしたり、前記収納用物品それぞれの内部の窒素を外部に排出させて前記収納用物品それぞれの内部に空気を供給可能にしたりすることができる。
【００２１】
また、本発明の複合コントロール建築物によれば、
前記複数の収納用物品それぞれの内部の空気を窒素に置き換えるか、又は前記複数の収納用物品それぞれの内部の窒素を空気に置き換えるかの指令を出力する複数の指令手段を設け、
前記制御手段は、前記指令手段からの指令を入力して制御動作するようにしたことにより、
家屋内に設けられた複数の収納用物品の内部状態を種々の目的でコントロールすることができる。
【００２２】
また、本発明の複合コントロール建築物によれば、前記複数の収納用物品それぞれの内部状態を表示する複数の内部状態表示手段を設けたことにより、ユーザーはその表示手段を見るだけで、前記複数の収納用物品それぞれの内部状態を直ちに確認することができる。
【発明を実施するための最良の形態】
【００２３】
以下、本発明に係る複合コントロール建築物を実施するための最良の形態について、図面に基づいて具体的に説明する。
図１は、本発明の一実施の形態に係る複合コントロール建築物について説明するために参照する図である。
【００２４】
図１に示すように、本実施の形態に係る複合コントロール建築物は、家屋１０内の適切な位置に、すなわち、それがあっても邪魔にならないような位置に窒素ボンベ１２（窒素供給源）及び空気ボンベ１３（空気供給源）が設けられている。
【００２５】
そして家屋１０内には、主に生ゴミ（目的物）を収納するゴミ箱１４（収納用物品）、新鮮な肉や野菜、果物等の、鮮度を保つ食品（目的物）を収納する冷蔵庫等のパントリー１６（食品貯蔵庫、収納用物品）、及びスーツやドレス、その他の衣服や服飾品等（目的物）を収納するクローゼット１８（収納用物品）が、他の部屋等の適切な位置にそれぞれ設けられている。                
【００２６】
窒素ボンベ１２は、ゴミ箱１４、パントリー１６、及びクローゼット１８それぞれの内部と配管を介して連結されており、上記ゴミ箱１４等のそれぞれの内部に配管を通って窒素を供給することができるようになっている。
【００２７】
また、空気ボンベ１３も、ゴミ箱１４、パントリー１６、及びクローゼット１８それぞれの内部と、窒素ボンベ１２に連結された配管とは別の配管を介して連結されており、上記ゴミ箱１４等のそれぞれの内部に配管を通って空気を供給することができるようになっている。
【００２８】
ゴミ箱１４、パントリー１６、及びクローゼット１８のそれぞれと窒素ボンベ１２との間を連結する配管の途中には、第１切換バルブ２１，２２，２３が設けられており、上記ゴミ箱１４、パントリー１６、及びクローゼット１８のそれぞれと空気ボンベ１３との間を連結する配管の途中には、第２切換バルブ５３，５４，５５が設けられている。
【００２９】
これらの第１切換バルブ２１，２２，２３及び第２切換バルブ５３，５４，５５のそれぞれは、これらが設けられている配管の中を、窒素や空気が通れるように連通させた状態と、窒素や空気が通れないように遮断した状態との間で、切換えることができるようになっている。
【００３０】
そして、これらの第１切換バルブ２１，２２，２３及び第２切換バルブ５３，５４，５５のそれぞれは、回線を介してコントローラ３０（制御手段）に電気的に接続されており、それぞれの動作がコントローラ３０により制御されるようになっている。図が複雑になるのを防止するために、図において上記回線は省略されている。
【００３１】
また、ゴミ箱１４には第１リリースバルブ３６が、パントリー１６には第２リリースバルブ３７が、そして、クローゼット１８には第３リリースバルブ３８が設けられている。これらの第１，第２，第３リリースバルブ３６，３７，３８のそれぞれは、コントローラ３０に連結されて、コントローラ３０により制御されるようになっている。
【００３２】
そして、これらの第１，第２，第３リリースバルブ３６，３７，３８のそれぞれは、コントローラ３０により制御されて開状態となったときは、ゴミ箱１４、パントリー１６、及びクローゼット１８それぞれの内部を外部と連通させるよう動作すると共に、コントローラ３０により制御されて閉状態となったときは、上記内部を外部と遮断するよう動作するようになっている。
【００３３】
ゴミ箱１４には第１スイッチ２６（指令手段）が、パントリー１６には第２スイッチ２７（指令手段）が、そして、クローゼット１８には第３スイッチ２８（指令手段）が設けられている。ゴミ箱１４の第１スイッチ２６は、開ボタン２６ａと閉ボタン２６ｂを有しており、パントリー１６の第２スイッチ２７と、クローゼット１８の第３スイッチ２８も同様に、開ボタン２７ａ，２８ａと閉ボタン２７ｂ，２８ｂを有している。
【００３４】
これらの第１，第２，第３スイッチ２６，２７，２８のそれぞれは、コントローラ３０に連結されており、ユーザーによるそれらの開ボタン２６ａ，２７ａ，２８ａ、又は閉ボタン２６ｂ，２７ｂ，２８ｂの操作により、ゴミ箱１４、パントリー１６、及びクローゼット１８それぞれの内部の窒素を空気に置き換えるか、又は上記ゴミ箱１４等のそれぞれの内部の空気を窒素に置き換えるかの指示を、コントローラ３０に出力するようになっている。
【００３５】
すなわち、第１，第２，第３スイッチ２６，２７，２８それぞれの開ボタン２６ａ，２７ａ，２８ａは、ゴミ箱１４、パントリー１６、及びクローゼット１８それぞれの内部の窒素を空気に置き換えるよう指示するために操作するものであり、閉ボタン２６ｂ，２７ｂ，２８ｂは、上記ゴミ箱１４等のそれぞれの内部の空気を窒素に置き換えるよう指示するために操作するものである。
【００３６】
ゴミ箱１４、パントリー１６、及びクローゼット１８のそれぞれには、安全確認ランプ３１，３２，３３（内部状態表示手段）が設けられている。この安全確認ランプ３１，３２，３３のそれぞれは、青く点灯する青ランプ３１ａ，３２ａ，３３ａと、赤く点灯する赤ランプ３１ｂ，３２ｂ，３３ｂのそれぞれを有している。
【００３７】
安全確認ランプ３１，３２，３３のそれぞれは、コントローラ３０に接続されていて、青ランプ３１ａ，３２ａ，３３ａ及び赤ランプ３１ｂ，３２ｂ，３３ｂのそれぞれは、コントローラ３０によりその点灯の有無を制御されるようになっている。
【００３８】
例えば、青ランプ３１ａ，３２ａ，３３ａは、ゴミ箱１４、パントリー１６、及びクローゼット１８それぞれの内部にあった窒素のほとんどが空気に置き換わった時点で、コントローラ３０により制御されて、上記ゴミ箱１４等のそれぞれの蓋やドアを開けても安全であることをユーザーに知らせるために点灯する。
【００３９】
また、赤ランプ３１ｂ，３２ｂ，３３ｂは、ゴミ箱１４、パントリー１６、及びクローゼット１８それぞれの内部にあった空気が窒素に置き換わる動作を開始した時点で、コントローラ３０により制御されて、上記ゴミ箱１４等のそれぞれの蓋やドアを開けると危険であることをユーザーに知らせるために点灯する。
【００４０】
このような本発明の一実施の形態に係る、複合コントロール建築物の使用方法について説明する。
まず電源を入れて、ユーザーが第１スイッチ２６の閉ボタン２６ｂを押すよう操作すると、この第１スイッチ２６からの信号を入力したコントローラ３０が、第１リリースバルブ３６を開状態にして、ゴミ箱１４の内部を外部と連通させるように制御すると共に、第１切換バルブ２１がその配管を連通させる状態に、第２切換バルブ５３がその配管を遮断させる状態に作動するように、それらを制御する。
【００４１】
このため、ゴミ箱１４の内部に、窒素ボンベ１２からの窒素が供給されると共に、それまでその内部にあった空気が第１リリースバルブ３６から外部に排出される。このことにより、ゴミ箱１４の内部にあった空気のほとんどを窒素に置き換えることができる。
【００４２】
また、このような動作が開始されるとき、コントローラ３０により安全確認ランプ３１が制御されて、赤ランプ３１ｂが点灯することにより、上記動作中及び動作終了後に、ゴミ箱１４の蓋を開けると危険であることをユーザーに知らせるようになっている。
【００４３】
このようにしてゴミ箱１４の内部の空気と窒素が置き換わるのに必要な所定の時間が経過したことを、タイマーがカウントしたら、コントローラ３０は、第１切換バルブ２１と第１リリースバルブ３６を閉じるように制御する。このことにより、ゴミ箱１４の内部が窒素に置き換わった状態を保持することができる。
【００４４】
パントリー１６やクローゼット１８も、ユーザーが第２，第３スイッチ２７，２８の閉ボタン２７ｂ，２８ｂを同様に操作すると、コントローラ３０が、ゴミ箱１４の場合と同様に制御動作することにより、パントリー１６やクローゼット１８それぞれの内部にあった空気を窒素に置き換えることができると共に、パントリー１６やクローゼット１８の内部が空気から窒素に置き換わった状態を保持することができる。
【００４５】
このように、ゴミ箱１４、パントリー１６、及びクローゼット１８それぞれの内部が空気から窒素に置き換わると、内部の酸素量が減少するので、上記のそれぞれの内部に入っているものの腐敗や、腐敗による悪臭、カビ、虫食い等が発生するまでの期間をできるだけ遅らせて、生ゴミ、鮮度を保つ食品、衣服等の保存できる期間をできるだけ延長することができる。
【００４６】
ゴミ箱１４の蓋を開けてその中に新たな生ゴミを入れたいときは、ユーザーが第１スイッチ２６の開ボタン２６ａを押すよう操作する。このため、コントローラ３０が、第１リリースバルブ３６を開くように制御すると共に、第２切換バルブ５３がその配管を連通させる状態に作動するように制御する。第１切換バルブ２１は前述のように、既にその配管を遮断させた状態になっている。
【００４７】
このため、ゴミ箱１４の内部に、空気ボンベ１２からの空気が供給されると共に、それまでその内部にあった窒素が、開状態の第１リリースバルブ３６から外部に排出される。このことにより、ゴミ箱１４の内部にあった窒素を空気に置き換えることができる。
【００４８】
このようにしてゴミ箱１４の内部の空気と窒素が置き換わるのに必要な所定の時間が経過したことを、タイマーがカウントしたら、コントローラ３０は、第２切換バルブ５３を閉じるように制御する。
【００４９】
またこのとき、安全確認ランプ３１がコントローラ３０により制御されて、その赤ランプ３１ｂが消灯して青ランプ３１ａが点灯することにより、ゴミ箱１４の蓋を開けても安全であることをユーザーに知らせるようになっている。
【００５０】
このようにして、ゴミ箱１４の内部の窒素を空気に置き換えて、赤ランプ３１ｂが消灯して青ランプ３１ａが点灯してから、ユーザーがゴミ箱１４の蓋を開けてその中に新たな生ゴミを入れるようにすれば、その中に窒素が充満している場合にその蓋を開けたときのように、その中から出てきた窒素をユーザーが吸って、酸素不足により具合が悪くなるようなことを防止することができる。
【００５１】
パントリー１６やクローゼット１８も、ユーザーが第２，第３スイッチ２７，２８の開ボタン２７ａ，２８ａを同様に操作し、コントローラ３０が、ゴミ箱１４の場合と同様に制御動作することにより、それぞれの内部にあった窒素を空気に置き換えると共に、それぞれのドアを開けたユーザーがその中に充満していた窒素を吸って、酸素不足により具合が悪くなるようなことを防止することができる。
【００５２】
次に、ゴミ箱１４の中に新たに生ゴミを入れたら、その蓋を閉じてから、第１スイッチ２６の閉ボタン２６ｂをユーザーが操作する。すると、この第１スイッチ２６からの信号を入力したコントローラ３０が、第１切換バルブ２１を制御してその配管を連通させた状態に動作させる。第２切換バルブ５３は、前記ゴミ箱１４の内部にあった窒素を空気に置き換えたときに閉状態になったままとなっており、第１リリースバルブ３６は、前記ゴミ箱１４の内部にあった窒素を空気に置き換えたときに開状態になったままとなっている。
【００５３】
このため、ゴミ箱１４内部の空気を窒素に置き換えることができる。そして、この空気を窒素に置き換えるのに必要な所定の時間が経過した後で、コントローラ３０は、第１切換バルブ２１と第１リリースバルブ３６を閉状態となるように制御する。このことにより、ゴミ箱１４内部の空気が窒素に置き換わった状態を保持することができる。
【００５４】
また閉ボタン２６ｂをユーザーが操作したとき、コントローラ３０により安全確認ランプ３１が制御されて、青ランプ３１ａが消灯して赤ランプ３１ｂが点灯するようになっているので、ゴミ箱１４の蓋を開けると危険であることをユーザーに知らせることができるようになっている。
【００５５】
パントリー１６やクローゼット１８も、それらのドアを開けて収納物の出し入れ等の用事が済んだら、それらのドアを閉じてから、第２，第３スイッチ２７，２８の閉ボタン２７ｂ，２８ｂを同様に操作し、コントローラ３０が、ゴミ箱１４の場合と同様に制御動作する。
【００５６】
このことにより、それぞれの内部にあった空気を窒素に置き換えて、パントリー１６やクローゼット１８内部の空気が窒素に置き換わった状態を保持することができると共に、ゴミ箱１４の蓋を開けると危険であることをユーザーに知らせることができるようになっている。
【００５７】
このような本発明の一実施の形態に係る複合コントロール建築物によれば、ゴミ箱１４内部の空気を窒素に置き換えることにより、酸素の量も低減させることができるため、酸素を体内に取り入れて活動し、生ゴミの蛋白質を栄養として成長する雑菌の増殖が低減するので、生ゴミが短期間で腐敗したり、その結果悪臭を発生させることを抑制することができる。このため、生ゴミの腐敗や悪臭の発生が激しくなるまでの期間をできるだけ遅らせて、生ゴミの保存できる期間をできるだけ延長することができる。
【００５８】
また、パントリー１６内部の空気を窒素に置き換えることにより、酸素の量も低減させることができるため、内部に収納された新鮮な肉や野菜、果物等の食品に付着した、酸素を体内に取り入れて活動し、成長する雑菌の増殖が低減すると共に、酸素により促進される食品の熟成期間を長引かせることができる。
【００５９】
このため、パントリー１６内部に収納された新鮮な肉や野菜、果物等の食品が短期間で腐敗したり、カビが生えたり、熟し過ぎることを抑制することができるので、それらの食品の腐敗、カビの発生、熟し過ぎるまでの期間をできるだけ遅らせて、食品の保存できる期間をできるだけ延長することができる。
【００６０】
また、クローゼット１８内部の空気を窒素に置き換えることにより、酸素の量も低減させることができるため、その内部に収納されたスーツやドレス等の衣服や服飾品等に付着した、酸素を体内に取り入れて活動し、成長する虫や雑菌の増殖が低減するので、短期間で衣服等が虫に食われたり、カビが生えたりすることを抑制することができる。このため、スーツやドレス等の衣服や服飾品等が虫に食われたり、カビが生えたりするまでの期間をできるだけ遅らせて、衣服等の保存できる期間をできるだけ延長することができる。
【００６１】
したがって、本発明の複合コントロール建築物によれば、家屋内に設けられた複数の物品の内部状態を、種々の目的でコントロールすることができるようになっている。
【００６２】
なお、上記実施の形態においては、「ゴミ箱１４、パントリー１６、及びクローゼット１８」の内部の空気を窒素に置き換える場合について説明したが、これらのものに限定する必要は無く、その内部に目的物を収納できる物品であれば、他のどのようなものであってもよい。
【００６３】
また、上記実施の形態においては、窒素供給源として窒素ボンベ１２を用い、空気供給源として空気ボンベ１３を用いた場合について説明したが、これらのものに限定する必要は無く、ボンベの代わりにポンプ等の、他のどのようなタイプの窒素供給源又は空気供給源を用いてもよいことはいうまでもない。
【００６４】
また、上記実施の形態においては、図が分かり難くなるのを防止するために、スイッチ２６とランプ３１を互いに分離させた状態の図を用いて説明したが、スイッチ２６とランプ３１を１つの筐体に、１対１で一体的に設けてもよいことはいうまでもない。
【００６５】
また、上記実施の形態においては、第１，第２，第３スイッチ２６，２７，２８のそれぞれを、ゴミ箱１４、パントリー１６、及びクローゼット１８のそれぞれに一体的に設けた場合について説明したが、このような場合に限らず、各スイッチをゴミ箱１４、パントリー１６、及びクローゼット１８のそれぞれから分離して、それぞれに配線により電気的に接続するようにしてもよく、或は、リモコン（リモートコントロール装置）等に他のスイッチと一緒に設けるようにしてもよい。
【図面の簡単な説明】
【００６６】
【図１】本発明の一実施の形態に係る複合コントロール建築物を示すブロック図である。
【符号の説明】
【００６７】
１０  家屋
１２  窒素ボンベ
１３  空気ボンベ
１４  ゴミ箱
１６  パントリー
１８  クローゼット
２１，２２，２３  第１切換バルブ
２６  第１スイッチ
２６ａ  開ボタン
２６ｂ  閉ボタン
２７  第２スイッチ
２７ａ  開ボタン
２７ｂ  閉ボタン
２８  第３スイッチ
２８ａ  開ボタン
２８ｂ  閉ボタン
３０  コントローラ
３１，３２，３３  安全確認ランプ
３１ａ，３２ａ，３３ａ  青ランプ
３１ｂ，３２ｂ，３３ｂ  赤ランプ
３６  第１リリースバルブ
３７  第２リリースバルブ
３８  第３リリースバルブ
５３，５４，５５  第２切換バルブ
【図１】
2008082014.tif 000003